(57)【要約】【課題】木製梁が鋼補強材によって補強されるとともに、木製柱と木製梁との接合部分が鋼補強材によって補強された建築構造躯体を得る。【解決手段】  複数の木製柱１の上に木製梁２を架け渡してラーメン構造体とし、木製梁の下面に沿って鋼補強材５を配置する。木製柱の上端付近には、周面に螺旋状の張り出し部を備えたスクリュー部材１１を鉛直方向にねじ込む。該スクリュー部材には、周面から軸線と直角方向にネジ孔１１ｂが設けられている。鋼補強材の端部は木製梁と結合するともに、木製柱の側面からほぼ水平に穿設された横穴に挿通して前記スクリュー部材のネジ孔に螺合したボルト５７によって、前記鋼補強材の端部を前記木製柱の側面に密着させて接合する。【選択図】図２
2010031610.tif 000002
【特許請求の範囲】
【請求項１】
複数の木製柱と、
該木製柱の上端面の上に支持されて、該複数の木製柱間に架け渡された木製梁と、
前記木製梁の下面に沿って配置され、少なくとも端部が前記木製梁と接合された鋼補強材とを有し、
前記木製柱の上端付近には、周面に螺旋状の張り出し部を備えたスクリュー部材が鉛直方向にねじ込まれており、
該スクリュー部材には、周面から軸線と直角方向にネジ孔が設けられ、
前記木製柱の側面からほぼ水平に穿設された横穴に挿通されて前記スクリュー部材のネジ孔に螺合されたボルトによって、前記鋼補強材の端部が前記木製柱の側面に接合されていることを特徴とする建築構造躯体。
【請求項２】
前記木製柱の上端付近には、複数のスクリュー部材がねじ込まれており、
該スクリュー部材には端面から軸線方向にネジ穴が設けられ、各スクリュー部材のネジ穴に螺合された複数のボルトによって前記木製梁が該木製柱と曲げモーメントの伝達が可能となるように結合されており、
前記鋼補強材の端部は、前記木製梁と前記木製柱との相対的な変形を拘束するように、前記木製梁と前記木製柱との双方に密着して接合されていることを特徴とする請求項１に記載の建築構造躯体。
【請求項３】
前記鋼補強材は、前記木製梁の下面に沿って接合される梁状部分と、この梁状部分の端部で該梁状部分の下面より下方に突き出し、木製柱の側面との当接面を下方に拡大する補剛部とを備えており、
前記スクリュー部材のネジ孔に螺合されるボルトは、前記補剛部に設けられた貫通孔に挿通され、該補剛部を前記木製柱に締め付けるものであることを特徴とする請求項１又は請求項２に記載の建築構造躯体。
【請求項４】
前記補剛部は、前記梁状部分と着脱が可能となっており、該補剛部を木製柱の側面に取り付けた後に、前記梁状部分と接合可能となっていることを特徴とする請求項３に記載の建築構造躯体。
【請求項５】
前記補剛部と前記梁状部分との接合面は、該梁状部分の端縁側から支間中央側に向かって下方に傾斜していることを特徴とする請求項４に記載の建築構造躯体。
【発明の詳細な説明】
【技術分野】
【０００１】
本発明は、複数の木製の柱と、これらの木製柱の上に架け渡される木製梁と、この木製梁に接合される鋼補強材とで主要部が構成される建築構造躯体に関するものである。
【背景技術】
【０００２】
木造の建築物において、屋内に柱の少ない大空間を形成すること、商業用のスペースや車庫とするために大きな開口部を設けること等が求められることが増加している。このような場合には横方向に架け渡される横架材の支間が大きくなり、横架材に生じる曲げモーメントの値が大きくなる。このような大きな曲げモーメントに対し、横架材の耐力を充分に確保するとともに、たわみを小さく抑えること、特に徐々にたわみ量が増大するクリープ変形を小さく抑制することが求められる。このため、断面寸法、特に横架材の高さつまり梁せいを大きくする必要が生じる。
【０００３】
上記のような事情から、横架材として用いられる木部材の軸線方向に鋼やアルミニウム等からなる補強材を接合し、曲げ剛性を増大した複合部材が、例えば特許文献１、特許文献２及び特許文献３に提案されている。
特許文献１及び特許文献２には、複数の小断面の木材を貼り合わせて大きな断面の木質集成材とするときに、鋼又はアルミニウム等の金属の補強材を一体に貼り合わせた複合材が記載されている。特許文献１に記載の複合材は、複数の板材を水平方向にして上下に貼り合わせるものとし、上層部と下層部とに金属の板材を木質の板材間に挟み込んで接着するものである。また、特許文献２に記載の複合部材は、複数の板材を縦方向に配列し、これらの板材の鉛直な側面を相互に接着して木質の梁を形成するものである。そして、一部の板材に溝を形成しておき、この溝内に補強用鉄筋を挿入し、接着剤で一体化するものである。
【０００４】
特許文献３に記載の複合横架材は、木質材料からなる横架材本体と横架材本体に取り付けられる金属製の補強材とで構成されている。そして、補強材は板状基部と板状挿入部とからなり、板状挿入部が横架材本体の下面に形成された溝に挿し込まれ、板状基部は横架材本体の下面に当接して配置される。また、横架材本体の側面からこの横架材を貫通するように横孔が設けられ、補強材の板状挿入部にもそれぞれ位置が対応するようにピン孔が設けられている。そして、横孔から横架材本体に挿入されたドリフトピンが板状挿入部に形成されたピン穴に挿通して打ち込まれるとともに、補強材の板状基部に形成されたビス穴にビスを挿通し、横架材本体にねじ込むことにより横架材本体に補強材が接合されるものとなっている。
【０００５】
上記のように木製の横架材に鋼やアルミニウム等の金属部材を一体化することによって横架材の曲げ剛性は同じ寸法の木部材に比べて増大し、大きな耐力を期待することができるとともにたわみ量を低減することができる。
【特許文献１】特開平６−２９９６５３号公報
【特許文献２】特開平８−３１２０５９号公報
【特許文献３】特開２００６−１２５０３４号公報
【発明の開示】
【発明が解決しようとする課題】
【０００６】
しかしながら、上記特許文献１及び特許文献２に記載の複合梁を用いる構造では、梁を集成材として形成するときに金属部材を貼り合わせておく必要があり、加工に多くの手間が必要となっている。また、特許文献３に記載の複合横架材でも、木材又は木質材料製の横架材本体と鋼製の補強材とを接合するのに、補強材がぴったりと嵌め合わされる溝等を横架材本体に切削しておくことが必要となっている。このため、木製の横架材を簡単な構造で補強することが求められている。また、上記のような複合梁では、木製の梁を金属製の部材と合成し、横架材としての強度及び剛性を増大するものであるが、木製の梁と接合される木製の柱をも含む構造躯体全体として大きな耐力と剛性とを有するように補強することが求められる。
【０００７】
本発明は、このような事情に鑑みてなされたものであり、木製梁を鋼補強材によって補強するとともに、木製柱と木製梁との接合部分で鋼補強材を双方に接合することによって補強された建築構造躯体、特に、木製柱と木製梁とを曲げモーメントの伝達が可能に接合したラーメン構造であって鋼補強材によって有効に補強された建築構造躯体を得ることを目的とする。
【課題を解決するための手段】
【０００８】
上記課題を解決するために、請求項１に係る発明は、  複数の木製柱と、  該木製柱の上端面の上に支持されて、該複数の木製柱間に架け渡された木製梁と、  前記木製梁の下面に沿って配置され、少なくとも端部が前記木製梁と接合された鋼補強材とを有し、  前記木製柱の上端付近には、周面に螺旋状の張り出し部を備えたスクリュー部材が鉛直方向にねじ込まれており、  該スクリュー部材には、周面から軸線と直角方向にネジ孔が設けられ、  前記木製柱の側面からほぼ水平に穿設された横穴に挿通されて前記スクリュー部材のネジ孔に螺合されたボルトによって、前記鋼補強材の端部が前記木製柱の側面に接合されている建築構造躯体を提供する。
【０００９】
この建築構造躯体では、木製梁がその下面に沿って配置された鋼補強材によって補強されるとともに、木製梁の支間の端部で鋼補強材が木製梁と木製柱との双方に強固に接合される。一般に、木製梁の下縁付近に鋼部材を接合して曲げモーメントに対する補強を行うと、支間の端部付近で木製梁と鋼部材との間に大きな力が作用する。本発明では、この支間の端部で上記のように鋼補強材が木製梁と木製柱とに接合されることによってそれぞれの部材が互いに強固に接合され、構造躯体の体力が向上する。
【００１０】
請求項２に係る発明は、請求項１に記載の建築構造躯体において、  前記木製柱の上端付近には、複数のスクリュー部材がねじ込まれており、  該スクリュー部材には端面から軸線方向にネジ穴が設けられ、各スクリュー部材のネジ穴に螺合された複数のボルトによって前記木製梁が該木製柱と曲げモーメントの伝達が可能となるように結合されており、  前記鋼補強材の端部は、前記木製梁と前記木製柱との相対的な変形を拘束するように、前記木製梁と前記木製柱との双方に密着して接合されているものとする。
【００１１】
この建築構造躯体では、ラーメン構造となる木製柱と木製梁との接合部で、鋼補強材が双方の部材に密着して接合される。したがって、木製梁と木製柱との間の相対的は変形が拘束され、木製柱と木製梁との接合部が有効に補強される。これによりラーメン構造体の耐力が向上するとともに変形量が抑制される。
【００１２】
請求項３に係る発明は、請求項１又は請求項２に記載の建築構造躯体において、  前記鋼補強材は、前記木製梁の下面に沿って接合される梁状部分と、この梁状部分の端部で該梁状部分の下面より下方に突き出し、木製柱の側面との当接面を下方に拡大する補剛部とを備えており、  前記スクリュー部材のネジ孔に螺合されるボルトは、前記補剛部に設けられた貫通孔に挿通され、該補剛部を前記木製柱に締め付けるものとする。
【００１３】
この建築構造躯体では、鋼補強材の木製柱との接触範囲が拡大され、木製梁と木製柱との相対的な変形、特に接合角が曲げモーメントの作用によって変化するのが有効に拘束される。これにより、ラーメン構造体の変形が抑制され、大きな補強効果が得られる。
【００１４】
請求項４に係る発明は、請求項３に記載の建築構造躯体において、  前記補剛部は、前記梁状部分と着脱が可能となっており、該補剛部を木製柱の側面に取り付けた後に、前記梁状部分と接合可能となっているものとする。
【００１５】
この建築構造躯体では、鋼補強材の梁状部分と分離された補剛部を立設された木製柱に取り付けておき、鋼補強材の梁状部分が下面に沿って接合された木製梁を立設された木製柱の上に載置して架設することができる。そして、補剛部と鋼補強材の梁状部分とを接合することによって鋼補強材を木製梁と木製柱との双方に密着するように固定することができる。
【００１６】
請求項５に係る発明は、請求項４に記載の建築構造躯体において、  前記補剛部と前記梁状部分との接合面は、該梁状部分の端縁側から支間中央側に向かって下方に傾斜しているものとする。
【００１７】
上記にように鋼補強材の梁状部分と補剛部との接合面が傾斜していることにより、梁状部分が接合された木製梁を木製柱上に架け渡すときに、梁状部分と補剛部とを容易に密着させることができ、施工性が良好となる。
【発明の効果】
【００１８】
以上説明したように、本発明に係る建築構造躯体では、曲げモーメントが作用する木製梁を補強することができるとともに、鋼補強材の端部を木製梁及び木製柱と接合することにより、鋼補強材の端部で木製梁との間に大きな力が集中するのを回避して大きな補強効果を得ることができる。
【発明を実施するための最良の形態】
【００１９】
以下、本発明の実施の形態を図に基づいて説明する。
図１は、本発明に係る建築構造躯体の一例を示す概略斜視図である。
この建築構造躯体は、木製梁と木製柱とを曲げモーメントの伝達が可能に接合されたラーメン架構体を用いるものであり、１階を構成する下層部分及び２階を構成する上層部分のそれぞれがラーメン架構体を複数組み合わせて形成されている。そして、これらを積層することによって全体の構造躯体を構成している。それぞれのラーメン架構体は、木製の柱１、３の上に木製の梁２、４を載置して接合するいわゆる梁勝ち構造となっており、それぞれラーメン架構体を構成する柱１、３の断面は、接合される梁の軸線方向の寸法が大きく、これと直角方向の寸法が小さい扁平な部材となっている。また、梁２、４も鉛直方向の断面寸法が大きく、横方向の断面寸法が小さい扁平な部材を用いている。したがって、各ラーメン架構体の接合部は一方向の曲げに抵抗する構造となっている。
【００２０】
これらのラーメン架構体は、平面上で方向が互いに直角となるように、つまり複数のラーメン架構体の梁２−１，２−２，４−１，４−２が互いに直角となるように接合されている。これにより、異なる方向の水平力に抵抗する複数のラーメン架構体が互いに組み合わされ、あらゆる方向の水平力に抵抗可能な構造躯体となっている。そして、上層部分の柱３は、下層のラーメン架構体の梁２上に立設され、これらの接合部でも曲げモーメントが伝達されるものとなっている。
【００２１】
一階部分に用いられたラーメン架構体のひとつは、大きな開口を設けるために木製梁２−１の支間が大きくなっており、この部分に鋼補強材５が用いられている。このラーメン架構体は、２つの木製柱１−１，１−２の上に木製梁２−１が架け渡されたものであり、２つの木製柱１−１，１−２間で鋼補強材５が木製梁２−１の下面に接合されている。そして、この鋼補強材５の端部は木製梁２−１と強固に接合されるとともに木製柱１−１，１−２の側面に当接され、これらの木製柱１−１，１−２とも結合されている。
【００２２】
図２は、上記ラーメン架構体の木製梁２、木製柱１及び鋼補強材５が接合される部分を示す分解斜視図である。また、図３は、同じ接合部分の断面図であり、ラーメン架構体の軸線と平行な断面を示すものである。
このラーメン架構体では、木製柱１の上端面における長辺方向の両端部に切り欠きが設けられ、中央部１ａは木製梁２の下面に当接されている。そして、木製柱１の切り欠きからこの木製柱１の軸線方向に２本の第１のスクリュー部材１１、１１がねじ込まれている。この第１のスクリュー部材１１は、棒状の鋼部材の側面に螺旋状の張り出し部を設けたものであり、木製柱１に予め設けられた穴にねじ込まれ、大きな引き抜き抵抗を有するものとなっている。
【００２３】
一方、木製梁２の対応する位置にも鉛直方向に２本の第２のスクリュー部材１２、１２がねじ込まれている。これらの第２のスクリュー部材も第１のスクリュー部材と同様の構成を有し、木製梁を上下方向に貫通して設けられた孔にねじ込まれている。これら第１のスクリュー部材１１及び第２のスクリュー部材１２には、端面から軸線方向にネジ穴（図５参照）が穿設されている。木製梁２にねじ込まれた第２のスクリュー部材１２、１２の下端面に設けられたネジ穴には頭なしボルト１５が螺合され、この頭なしボルト１５にはナット１６が螺合される。一方、木製柱１にねじ込まれた第１のスクリュー部材１１のネジ穴１１ａには、ボルト１４が螺合されている。そして、柱の切り欠き内に配置された箱状の柱梁接合金具１３がボルト１４によって第１のスクリュー部材１１に結合され、頭なしボルト１５とナット１６とによって第２のスクリュー部材１１に結合されている。これにより、木製柱１と木製梁２とはスクリュー部材１１，１２及び柱梁接合金具１３を介して接合される。
【００２４】
鋼補強材５は、断面形状がＩ型となった梁状部分５１の両端部に、木製梁２と接合するための接合板部５２と、木製柱１と接合される補剛部５３とを有するものであり、梁状部分５１の上面を木製梁２の下面に当接して該木製梁２と結合されるものである。
【００２５】
上記梁状部分５１にはＨ型鋼等を用いることができ、上面には軸線方向の所定間隔で短い鋼管部材５４が鉛直方向に取り付けられている。そして、これらの鋼管部材５４には横方向に貫通孔５４ａが設けられている。この鋼管部材５４は木製梁２の対応する位置に設けられた穴２ａに挿入され、木製梁２の側面から水平方向に設けられた横孔２ｂに挿通したドリフトピン５５が上記貫通孔５４ａに挿通される。これにより、図４に示すように木製梁２と鋼補強材の梁状部分５１とが結合され、これらの間の相対的な変位が拘束されるものとなっている。
【００２６】
上記接合板部５２は、梁状部分５１の上部における両側縁から上方に立ち上げられた板状の部材であり、複数の貫通孔５２ａが設けられている。木製梁２の上記貫通孔５２ａと対応する部分には横孔２ｃが穿設されており、これらの貫通孔５２ａ及び横孔２ｃに挿通されるドリフトピン５６によって木製梁２と接合板部５２とが結合されるものである。これにより、鋼補強材５の端部は木製梁２に対して上下方向及び木製梁２の軸線方向に相対的な変位が生じないように結合される。
【００２７】
上記補剛部５３は、梁状部分５１の端面から下方に延長された板状部材５３ａと、この板状部材５３ａの両側縁部を梁状部分５１と連結するリブ５３ｂとを備えており、板状部材５３ａが木製柱１の側面に当接されるものである。そして、板状部材５３ａに設けられた貫通孔に相通されたボルト５７によって木製柱１と固定される。木製柱１の上端部にねじ込まれた第１のスクリュー部材１１は、図５に示すように側面から軸線と直角方向にネジ孔１１ｂが設けられており、上記補剛部５３の板状部材５３ａに設けられた貫通孔に挿通されたボルト５７を上記第１のスクリュー部材のネジ孔１１ｂにねじ込むことによって補剛部５３を木製柱１の側面に締め付けて固定できるものとなっている。これにより木製梁２と木製柱１との相対的な変位が拘束される。また、鋼補強材５から木製柱に鉛直方向の力すなわちせん断力が伝達される構造となる。
【００２８】
上記鋼補強材５と木製梁２と木製柱１との接合は次のように行うことができる。
木製梁２と鋼補強材５とは予め工場等において加工を行い、これらを互いに結合する。つまり、鋼補強材５には上面に鋼管部材５４を溶接接合するとともに、端部には接合板部５２と補剛部５３とを設ける。一方、木製梁２の下面には上記鋼管部材５４を挿入する穴２ａを穿設するとともに、側面からドリフトピン５５を挿入する横孔２ｂを穿設する。そして、鋼管部材５４を孔２ａに挿入して鋼補強材５の上面と木製梁２の下面とを当接し、ドリフトピン５５の挿入によって一体に結合する。また、木製梁２には木製柱１と接合するための第２のスクリュー部材１２をねじ込んでおく。
【００２９】
一方、木製柱１は工場等における加工段階において、端部に所定の寸法の切り欠きを設ける。そして、この切り欠き内から軸線方向に孔を切削し、第１のスクリュー部材１１をねじ込む。この第１のスクリュー部材１１の端部に設けられたネジ穴１１ａにボルト１４を螺合し、箱状の柱梁接合金具１３を第１のスクリュー部材１１の端面に当接させ、切り欠き内に固定しておく。
【００３０】
建築物を構築する現場では、木製柱１を所定の位置に立設する。これらの木製柱上に架け渡される木製梁２及びこれと一体に結合された鋼補強材５は、クレーン等によって吊り上げられ、立設された木製柱１上の所定の位置に載置される。このとき木製梁２に埋め込まれた第２のスクリュー部材１２の下端面に設けられたネジ穴には頭なしボルト１５が予めねじ込まれており、先端が下方に突き出ている。この頭なしボルト１５の先端が柱１に固定された柱梁接合金具１３と対向する位置に支持し、木製梁２をゆっくりと下降させて、柱１に固定された柱梁接合金具１３のボルト孔１３ａに頭なしボルト１５を先端から挿通する。これにより、木製梁２は木製柱１上の所定位置に載置され、鋼補強材５の補剛部５３は木製柱１の側面と対向する。
【００３１】
その後、木製柱１に固定された柱梁接合金具１３の側面の開放された部分から頭なしボルト１５の先端にナット１６を螺合させ、強く締め付けることにより木製梁２にねじ込まれた第２のスクリュー部材１２と柱梁接合金具１３とが強固に接合される。これにより、木製梁２と木製柱１とは、木製梁２の軸線方向における２箇所において、スクリュー部材１１，１２及び柱梁接合金具１３を介して強固に結合され、曲げモーメントの伝達が可能に接合される。
また、鋼補強材５の補剛部５３に設けられた貫通孔にボルト５７を貫通し、木製柱１にねじ込まれている第１のスクリュー部材１１のネジ孔１１ｂにボルト５７をねじ込んで締め付ける。これにより補剛部５３は木製柱１の側面に強く押し付けられ、強固に固定される。
【００３２】
以上に説明した実施の形態では、鋼補強材５の補剛部５３が梁状部分５１と連続するように形成されているが、図６に示すように、補剛部６２を梁状部分６１と分離可能とすることができる。鋼補強材６をこのような構造としたときには、構造躯体を組み立てる前に補剛部６２は、第１のスクリュー部材１１のネジ孔１１ｂに螺合されるボルト６４によって木製柱１の側面に固定しておく。そして、鋼補強材の梁状部分６１が結合された木製梁２を所定の位置に載置した後に補剛部６２と梁状部分６１とをボルト６３によって結合することができる。
【００３３】
また、図６に示す実施の形態では、梁状部分６１と補剛部６２との接合面はほぼ水平に設定されているが、図７に示すように、補剛部７２と梁状部分７１との接合面を、梁状部分７１の端縁側から支間中央側に向かって下方に傾斜するように設定することができる。このような鋼補強材７を用いるときにも、梁状部分７１と分離された補剛部７２をボルト７４によって木製柱１の側面に取り付けておき、梁状部分７１が結合された木製梁２を所定の位置に設置した後にボルト７３によって梁状部分７１と補剛部７２とを結合すことができる。この鋼補強材７のように接合面を傾斜して設定することにより、木製柱１と木製梁２とを接合する作業が容易になるとともに、組み立て時に鋼補強材７の梁状部分７１と補剛部７２とを密着させて接合することが容易となる。
【００３４】
なお、鋼補強材５，６，７の梁状部分５１，６１，７１と木製梁２とを結合する構造は、図４に示す構造に限定されるものではなく、他の様々な構造を採用することができ、木製梁２と鋼補強材の梁状部分５１，６１，７１とがこれらの軸線方向にずれるのを抑制することができる構造が望ましい。例えば、図８に示すように、貫通孔を有する鋼プレート２１を梁状部分５１の上面に溶接接合しておき、ドリフトピン２２を用いて木製梁２と梁状部分５１とを結合するものであっても良いし、図９に示すように、梁状部分５１に設けられた貫通孔に挿通したラグスクリュー２３を木製梁２にねじ込んで接合するものであってもよい。
【００３５】
以上に説明した実施の形態では、木製梁と木製柱とが曲げモーメントの伝達が可能に接合されたものであるが、木製梁と接合される木製柱が、主に鉛直方向の荷重を支持するものでラーメン構造を構成しないものであっても良い。
【図面の簡単な説明】
【００３６】
【図１】本発明に係る建築構造躯体の一実施形態を示す概略斜視図である。
【図２】図１に示す建築構造躯体の、木製梁、木製柱及び鋼補強材が接合される部分を示す分解斜視図である。
【図３】図２に示す接合部分の、ラーメン架構体の軸線と平行な断面を示す概略断面図である。
【図４】図２及び図３に示す建築構造躯体の木製梁と鋼補強材の梁状部分との接合構造を示す概略側面図及び概略断面図である。
【図５】図２及び図３に示す建築構造躯体の木製柱にねじ込まれるるスクリュー部材の平面図、正面図及び側面図である。
【図６】本発明の他の実施形態である建築構造躯体の主要部を示す概略断面図である。
【図７】本発明の他の実施形態である建築構造躯体の主要部を示す概略断面図である。
【図８】本発明の建築構造躯体における木製梁と鋼補強材の梁状部分との接合構造の他の例を示す概略側面図及び概略断面図である。
【図９】本発明の建築構造躯体における木製梁と鋼補強材の梁状部分との接合構造の他の例を示す概略側面図及び概略断面図である。
【符号の説明】
【００３７】
１，３：木製柱、    ２，４：木製梁、    ５，６，７：鋼補強材、    
１１：第１のスクリュー部材、    １１ａ：軸線方向ネジ穴、    １１ｂ：軸線と直角方向のネジ孔、    １２：第２のスクリュー部材、    １３：柱梁接合金具、    １４：ボルト、    １５：頭なしボルト、    １６：ナット、    
５１：鋼補強材の梁状部分、    ５２：接合板部、    ５３：補剛部、    ５４：管状部材、    ５５，５６：ドリフトピン、    ５７：ボルト、    
６１，７１：鋼補強材の梁状部分、    ６２，７２補剛部、    ６３，６４，７３，７４：ボルト    
【図１】
2010031610.tif 000003
【図２】
2010031610.tif 000004
【図３】
2010031610.tif 000005
【図４】
2010031610.tif 000006
【図５】
2010031610.tif 000007
【図６】
2010031610.tif 000008
【図７】
2010031610.tif 000009
【図８】
2010031610.tif 000010
【図９】
2010031610.tif 000011